(57)【要約】  【課題】  本発明は車両の無線データ収集システムに関し、車両とセンターとの無線通信を低い通信コスト実現する。  【解決手段】  無線データ通信が可能な車両特定小電力無線手段１０と車両７内の情報を保存する車両データベース手段１１と車両始動時に少なくともリンクデータを発呼する車両始動発呼手段８と車両特定小電力無線手段１０と車両データベース手段１１や車両始動発呼手段８を制御する車両端末部９を備えた車両７と、車両特定小電力無線手段１０とデータ通信を行う宅内特定小電力無線手段４と、宅内の情報を保存する宅内データベース手段３と、宅内特定小電力無線手段４と宅内データベース手段３を管理し住宅１に接続された公衆ネットワーク回線５とデータ通信を行う宅内装置２から構成することにより、車両と住宅やセンター間の通信コストを低減することができる。【選択図】  図１
2005051589.tif 000002
【特許請求の範囲】
【請求項１】
無線データ通信が可能な車両特定小電力無線手段と車両内の情報を保存する車両データベース手段と車両始動時に少なくともリンクデータを発呼する車両始動発呼手段と前記車両特定小電力無線手段と車両データベース手段や車両始動発呼手段を制御する車両端末部を備えた車両と、前記車両特定小電力無線手段とデータ通信を行う宅内特定小電力無線手段と、宅内の情報を保存する宅内データベース手段と、前記宅内特定小電力無線手段と宅内データベース手段を管理し住宅に接続された公衆ネットワーク回線とデータ通信を行う宅内装置から構成される車両無線データ収集システム。
【請求項２】
無線データ通信が可能な車両特定小電力無線手段と車両内の情報を保存する車両データベース手段と車両停止時に少なくともリンクデータを発呼する車両停止発呼手段と前記車両特定小電力無線手段と車両データベース手段や車両停止発呼手段を制御する車両端末部を備えた車両と、前記車両特定小電力無線手段とデータ通信を行う宅内特定小電力無線手段と、宅内の情報を保存する宅内データベース手段と、前記宅内特定小電力無線手段と宅内データベース手段を管理し住宅に接続された公衆ネットワーク回線とデータ通信を行う宅内装置から構成される車両無線データ収集システム。
【請求項３】
車両特定小電力無線手段と宅内特定小電力無線手段のリンク後、車両データベース手段のデータを宅内データベース手段に転送するアップロード手段を宅内装置に構成した請求項１または２記載の車両無線データ収集システム。
【請求項４】
車両特定小電力無線手段と宅内特定小電力無線手段のリンク後、宅内データベース手段のデータを車両データベース手段に転送するダウンロード手段を宅内装置に構成した請求項１または２記載の車両無線データ収集システム。
【請求項５】
車両特定小電力無線手段と宅内特定小電力無線手段のリンク後、車両データベース手段のデータをセンターに転送するセンタアップロード手段を宅内装置に構成した請求項１または２記載の車両無線データ収集システム。
【請求項６】
車両特定小電力無線手段と宅内特定小電力無線手段のリンク後、センターのデータを車両データベース手段に転送するセンタダウンロード手段を宅内装置に構成した請求項１または２記載の車両無線データ収集システム。
【発明の詳細な説明】
【技術分野】
【０００１】
本発明は、車両内と住宅内のデータ通信を特定小電力無線で行う車両無線データ収集装置に関するものである。
【背景技術】
【０００２】
従来のこの種の車両無線データ収集システムは車両から携帯電話、ＰＨＳを使用してインターネットに接続し必要な情報を通報するように構成したものがある（例えば、特許文献１参照）。
【０００３】
図１１において、無線データ通信が可能な無線通信手段１４と車両に何らかの異常が発生した場合にセンター等に通報するために車両無線通信手段１３を制御する車両端末部９を備えた車両７と、車両無線通信手段１３とセンター６とを接続する公衆ネットワーク回線５と、公衆ネットワーク回線５に接続され車両７やセンター６と通信可能な宅内装置２から構成されている。
【特許文献１】特開２００２−２８８７６８号公報
【発明の開示】
【発明が解決しようとする課題】
【０００４】
しかしながら、前記従来の車両通報システムでは、車両から公衆ネットワーク回線に接続するために、車載の無線装置の通信料がかかるため低コスト化が課題であった。
【０００５】
本発明は、前記従来の課題を解決するもので、安価なコストで車両とセンターとの通信を可能とすることができる。
【課題を解決するための手段】
【０００６】
前記従来の課題を解決するために、本発明の車両無線データ収集システムは、車両に特定小電力無線を設けると共に、車両が住宅に到着した場合、または住宅から出発する場合に車両と無線データ通信可能で且つセンターにインターネットで常時接続されている宅内装置を備えるようにしたものである。
【発明の効果】
【０００７】
以上のように、本発明によれば、車両と住宅間において、車両が動作時に無線通信を行うため車両電源に負担をかけずに、また低コストで住宅との通信が可能となる。
【発明を実施するための最良の形態】
【０００８】
請求項１に記載の発明は、無線データ通信が可能な車両特定小電力無線手段と車両内の情報を保存する車両データベース手段と車両始動時に少なくともリンクデータを発呼する車両始動発呼手段と前記車両特定小電力無線手段と車両データベース手段や車両始動発呼手段を制御する車両端末部を備えた車両と、前記車両特定小電力無線手段とデータ通信を行う宅内特定小電力無線手段と、宅内の情報を保存する宅内データベース手段と、前記宅内特定小電力無線手段と宅内データベース手段を管理し住宅に接続された公衆ネットワーク回線とデータ通信を行う宅内装置を有するものである。
【０００９】
そして、車両が住宅より出発する動作状態で宅内との無線通信が可能となる。
【００１０】
請求項２に記載の発明は、無線データ通信が可能な車両特定小電力無線手段と車両内の情報を保存する車両データベース手段と車両停止時に少なくともリンクデータを発呼する車両停止発呼手段と前記車両特定小電力無線手段と車両データベース手段や車両停止発呼手段を制御する車両端末部を備えた車両と、前記車両特定小電力無線手段とデータ通信を行う宅内特定小電力無線手段と、宅内の情報を保存する宅内データベース手段と、前記宅内特定小電力無線手段と宅内データベース手段を管理し住宅に接続された公衆ネットワーク回線とデータ通信を行う宅内装置を有するものである。
【００１１】
そして、車両が住宅に到着した時に宅内との無線通信が可能となる。
【００１２】
請求項３に記載の発明は、車両特定小電力無線手段と宅内特定小電力無線手段のリンク後、車両データベース手段のデータを宅内データベース手段に転送するアップロード手段を宅内装置に有するものである。
【００１３】
そして、車両が住宅より出発する動作状態や住宅に到着した時に、車両のデータを宅内へ送信することが可能となる。
【００１４】
請求項４に記載の発明は、車両特定小電力無線手段と宅内特定小電力無線手段のリンク後、宅内データベース手段のデータを車両データベース手段に転送するダウンロード手段を宅内装置に有するものである。
【００１５】
そして、車両が住宅より出発する動作状態や住宅に到着した時に、宅内のデータを車両へ送信することが可能となる。
【００１６】
請求項５に記載の発明は、車両特定小電力無線手段と宅内特定小電力無線手段のリンク後、車両データベース手段のデータをセンターに転送するセンタアップロード手段を宅内装置に有するものである。
【００１７】
そして、車両が住宅より出発する動作状態や住宅に到着した時に、車両のデータをセンターへ送信することが可能となる。
【００１８】
請求項６に記載の発明は、車両特定小電力無線手段と宅内特定小電力無線手段のリンク後、センターのデータを車両データベース手段に転送するセンタダウンロード手段を宅内装置に有するものである。
【００１９】
そして、車両が住宅より出発する動作状態や住宅に到着した時に、センターのデータを車両へ送信することが可能となる。
【実施例】
【００２０】
以下、本発明の実施例について図面を用いて説明する。
【００２１】
（実施例１）
図１は本発明の実施例１の車両無線データ収集装置を示すブロック図である。７は車両であり特定小電力無線を使用して無線データ通信が可能な車両特定小電力無線手段１０と車両７の運転情報、メンテナンス情報、地図情報や音楽などの情報を保存する車両データベース手段１１と、車両が始動した時に  少なくともリンクデータを発呼する車両始動発呼手段８と、車両特定小電力無線手段１０、車両データベース手段１１や車両始動発呼手段８を制御する車両端末部９を備えている。また、１は住宅であり、車両特定小電力無線手段１０と特定省電力無線でデータ通信を行う宅内特定小電力無線手段４と、車両特定小電力無線手段１０と、宅内での車両情報、音楽やビデオ情報を保存する宅内データベース手段３と、宅内特定小電力無線手段４と宅内データベース手段３を管理し住宅に接続されたインターネットなどの公衆ネットワーク回線５とデータ通信を行う宅内装置２から構成されている。また、前記車両データベース手段１１は複数のデータベース機器で構成されることもある。また、宅内データベース手段３、宅内特定小電力無線手段４は宅内装置２と一体で構成することも可能である。更に、宅内装置には各種データを表示する表示装置やキーボードなどの操作手段（図示せず）を備えている。上記構成により、車両７が始動した時に住宅１とのデータ通信が可能となる。
【００２２】
以上のように、車両始動発呼手段８を設けることにより、車両が動作時に無線通信を行うため車両電源に負担をかけずに、また低コストで住宅との通信が可能となる。
【００２３】
（実施例２）
図２は本発明の実施例２の車両無線データ収集装置を示すブロック図である。７は車両であり特定小電力無線を使用して無線データ通信が可能な車両特定小電力無線手段１０と車両７の運転情報、メンテナンス情報、地図情報や音楽などの情報を保存する車両データベース手段１１と、車両が停止した時に少なくともリンクデータを発呼する車両停止発呼手段１２と、車両特定小電力無線手段１０、車両データベース手段１１や車両停止発呼手段１２を制御する車両端末部９を備えている。また、１は住宅であり、車両特定小電力無線手段１０と特定省電力無線でデータ通信を行う宅内特定小電力無線部４と、車両特定小電力無線手段１０と、宅内での車両情報、音楽やビデオ情報を保存する宅内データベース手段３と、宅内特定小電力無線手段４と宅内データベース手段３を管理し住宅に接続されたインターネットなどの公衆ネットワーク回線５とデータ通信を行う宅内装置２から構成されている。また、前記車両データベース手段１１は複数のデータベース機器で構成されることもある。また、宅内データベース手段３、宅内特定小電力無線手段４は宅内装置２と一体で構成することも可能である。更に、宅内装置には各種データを表示する表示装置やキーボードなどの操作手段（図示せず）を備えている。上記構成により、車両７が停止した時に住宅１とのデータ通信が可能となる。
【００２４】
以上のように、車両停止発呼手段１２を設けることにより、車両の動作停止直後に無線通信を行うため車両電源に負担をかけずに、また低コストで住宅との通信が可能となる。
【００２５】
（実施例３）
図３、図４は本発明の実施例３の車両無線データ収集装置を示すブロック図である。車両始動発呼手段８や車両停止発呼手段１２が動作後、宅内装置２に車両データベース手段１１からのデータをアップロードするアップロード手段２ａを備えている。また、発呼するデータは予め選択し設定されている。
【００２６】
以上のように、車両が住宅から出発する時や住宅に到着した時に車両のデータを宅内に自動的にアップロードするため、車両データを住宅で管理することが可能となる。
【００２７】
（実施例４）
図５、図６は本発明の実施例４の車両無線データ収集装置を示すブロック図である。車両始動発呼手段８や車両停止発呼手段１２が動作後、宅内装置２に宅内データベース手段３からのデータを車両７にダウンロードするダウンロード手段２ｂを備えている。また、ダウンロードするデータは予め選択し、設定されている。
【００２８】
以上のように、車両が住宅から出発する時や住宅に到着した時に住宅のデータを車両に自動的にダウンロードするため、住宅で作製したデータを車両で使用することが可能となる。
【００２９】
（実施例５）
図７、図８は本発明の実施例５の車両無線データ収集装置を示すブロック図である。車両始動発呼手段８や車両停止発呼手段１２が動作後、宅内装置２に車両データベース手段１１からのデータをセンター６にアップロードするセンタアップロード手段２ｃを備えている。ここで、センター６はメンテナンスなどのデータを処理する機能を持っている。
【００３０】
以上のように、車両が住宅から出発する時や住宅に到着した時に車両のデータをセンターに自動的にアップロードするため、車両データをセンターで管理することが可能となる。
【００３１】
（実施例６）
図９、図１０は本発明の実施例６の車両無線データ収集装置を示すブロック図である。車両始動発呼手段８や車両停止発呼手段１２が動作後、宅内装置２にセンター６からのデータを車両７にダウンーロードするセンタダウンロード手段２ｄを備えている。ここで、センター６はインターネットプロバイダやメンテナンス機能を持ったものである。
【００３２】
以上のように、車両が住宅から出発する時や住宅に到着した時にセンターのデータを車両に自動的にダウンロードするため、センターの情報を車両で使用することが可能となる。
【図面の簡単な説明】
【００３３】
【図１】本発明の実施例１における車両無線データ収集システムのブロック図
【図２】本発明の実施例２における車両無線データ収集システムのブロック図
【図３】本発明の実施例３における車両無線データ収集システムのブロック図
【図４】本発明の実施例３における車両無線データ収集システムのブロック図
【図５】本発明の実施例４における車両無線データ収集システムのブロック図
【図６】本発明の実施例４における車両無線データ収集システムのブロック図
【図７】本発明の実施例５における車両無線データ収集システムのブロック図
【図８】本発明の実施例５における車両無線データ収集システムのブロック図
【図９】本発明の実施例６における車両無線データ収集システムのブロック図
【図１０】本発明の実施例６における車両無線データ収集システムのブロック図
【図１１】従来の無線データ収集システムのブロック図
【符号の説明】
【００３４】
１  住宅
２  宅内装置
３  宅内データベース手段
４  宅内特定小電力無線手段
５  公衆ネットワーク回線
６  センター
７  車両
８  車両始動発呼手段
９  車両端末部
１０  車両特定小電力無線手段
１１  車両データベース手段
１２  車両停止発呼手段
【図１】
2005051589.tif 000003
【図２】
2005051589.tif 000004
【図３】
2005051589.tif 000005
【図４】
2005051589.tif 000006
【図５】
2005051589.tif 000007
【図６】
2005051589.tif 000008
【図７】
2005051589.tif 000009
【図８】
2005051589.tif 000010
【図９】
2005051589.tif 000011
【図１０】
2005051589.tif 000012
【図１１】
2005051589.tif 000013